(57)【要約】　　　（修正有）【課題】弾性を有する引っ張り紐の基本的な利点を維持しながら、特に日よけ布が完全に張り渡された状態において、日よけ布を確実に堅く張ることを確保する。【解決手段】日よけ布３に引っ張り応力が作用する際、引っ張り紐１５がガイドレール１０端部領域の偏向プーリにより向きを変えられ、布地ロール用シャフト２の方へ逆送され、布地ロール用シャフトに巻き上げられるような日よけで、日よけ布の巻き解き及び引っ張り紐の巻き上げが、布地ロール用シャフトの電動モータ１９により行われ、完全に繰り出した状態に至った後に布地ロール用シャフトの駆動装置１９を止めるためのスイッチ装置が備えられた日よけにおいて、最大繰り出し状態を超え、日よけ布が本来の繰り出し方向で、所定の角度範囲だけ再び巻き上げられた後に初めて、駆動装置のスイッチが切られるように、スイッチ装置２０が駆動装置１９に作用する。【選択図】　　図１
2004003323.tif 000002
【特許請求の範囲】
【請求項１】
日よけ、特にサンルーム用日よけであって、
日よけ布（３）を巻き上げ、また巻き解くための布地ロール用シャフト（２）を備えて成り、
日よけ布（３）の内側端部が布地ロール用シャフト（２）と連結され、日よけ布（３）の外側端部が落とし部（９）と連結され、落とし部（９）が側面乃至横手方向のガイドレール（１０）中を走行し、
弾性を有する引っ張り紐（１５）が落とし部（９）の日よけ布（３）と対向する端部に係合しており、該引っ張り紐（１５）が、日よけ布（３）が繰り出されて、解かれた場合、従って落とし部（９）に、またそれに伴い日よけ布（３）に引っ張り応力が作用している場合、ガイドレール（１０）端部領域の偏向プーリ（１６，１７）により向きを変えられ、布地ロール用シャフト（２）の方へと逆送され、布地ロール用シャフト（３）に巻き上げられ、
日よけ布（３）の巻き解き及び引っ張り紐（１５）の巻き上げが、布地ロール用シャフト（２）の電動モータ駆動装置（１９）により行われ、完全に繰り出した状態に至った後に、布地ロール用シャフトの駆動装置（１９）を止めるためのスイッチ装置が備えられている日よけにおいて、
最大張り渡し乃至繰り出し状態を超えて、日よけ布（３）が本来の繰り出し方向（矢印２１）で、所定の角度範囲だけ再び巻き上げられた後に初めて、駆動装置（１９）のスイッチが切られるように、スイッチ装置（ねじりモーメント伝達装置２０）が布地ロール用シャフト（２）の駆動装置（１９）に作用すること特徴とする日よけ。
【請求項２】
日よけ布（３）が、繰り出される際と同様に引き込まれる際にも、達成されたねじりモーメントに依存して停止されることを特徴とする、請求項１に記載の日よけ。
【請求項３】
日よけ布（３）の内側端部がひも状体（４）により、布地ロール用シャフト（２）のひも溝（５）に固定されていることを特徴とする、請求項２に記載の日よけ。
【請求項４】
布地ロール用シャフト（２）の前方領域に、引っ張り紐（１５）のための偏向プーリ（１６，１７）が備えられ、その結果、引っ張り紐（１５）がガイドレール（１０）に沿って延在することを特徴とする、請求項１に記載の日よけ。
【請求項５】
スイッチ装置が引っ張り紐（１５）上、及び日よけ布（３）上の引っ張り応力に依存して解除されることを特徴とする、請求項１に記載の日よけ。
【請求項６】
スイッチ装置が、布地ロール用シャフト（２）上に配設されたねじりモーメント伝達装置（２０）を備えて成ることを特徴とする、請求項６に記載の日よけ。
【請求項７】
日よけ布（３）が最大繰り出し状態に達した後に、本来の繰り出し方向において、予め定められた所望の張り渡し状態に達するまで、再び巻き戻されることを特徴とする、特に請求項１に記載のサンルーム用日よけの、日よけ布の繰り出しを制御するための方法。
【請求項８】
日よけの作動が手動で、特にクランク及び自動ロック装置により行われ、ねじりモーメントの増大に対する作業員の感覚に応じて、繰り出す際の日よけの停止が行われることを特徴とする、請求項７に記載の方法。
【発明の詳細な説明】
【０００１】
【発明の属する技術分野】
本発明は、日よけ乃至オーニング、特にサンルーム（温室）用日よけに関するものである。当該日よけは日よけ布を巻き上げ、また巻き解くための布地ロール用シャフト（布軸）を備えて成り、日よけ布の内側端部が布地ロール用シャフトと連結され、日よけ布の外側端部が落とし部（ｄｒｏｐ−ｏｕｔ　ｂａｒ）と連結されている。該落とし部が側面乃至横手方向のガイドレール中を走行し、弾性を有する引っ張り紐（ｐｕｌｌ　ｓｔｒａｐｓ）が落とし部の日よけ布と対向する端部に係合しており、日よけ布が繰り出されて、解かれた場合、従って落とし部に、またそれに伴い日よけ布に引っ張り応力が作用する際、該引っ張り紐がガイドレール端部領域の偏向プーリにより向きを変えられ、布地ロール用シャフトに向かって逆送させられ、布地ロール用シャフトに巻き上げられる。日よけ布の巻き解きと引っ張り紐の巻き上げが布地ロール用シャフトの電動モータにより行われ、完全に繰り出した状態に至った後に、布地ロール用シャフトの駆動装置を止めるためのスイッチ装置が備えられている。
【０００２】
【従来の技術】
【特許文献１】
ＤＥ１０１３２６１６Ａ１（ドイツ特許出願第１０１３２６１６号公開公報）
この種の日よけは特許文献１より公知である。ここに記載されたサンルーム用日よけは、部分的に張られた状態においても日よけ布をピンと張るために、弾性を有する引っ張り紐を備える。日よけ布が完全に繰り出された状態は、従来通り、接触スイッチ或いは光学スイッチにより検知され、これに従属して電気的駆動装置が停止される。
【０００３】
【発明が解決しようとする課題】
本発明の根底をなす課題は、想定される種類の日よけにおいて、弾性を有する引っ張り紐の基本的な利点を維持しながら、特に日よけ布が完全に張り渡された状態において、日よけ布を確実に堅く張り、且つ視覚的に魅力的な外観を確保することにある。
【０００４】
【課題を解決するための手段】
この課題は本発明に従い、最大張り渡し乃至繰り出し状態を超えて、日よけ布が本来の繰り出し方向において、所定の角度範囲だけ再び巻き上げられた後に初めて、駆動装置のスイッチが切られるように、布地ロール用シャフトの駆動装置にスイッチ装置が作用することにより解決される。
【０００５】
本発明に従うスイッチ装置は様々な形態を取り得る。例えば、多くの電動モータにおいて既に使用されているトルク・リミッタ形態で実現可能であり、電動モータと一体化した力転移伝達器（ｆｏｒｃｅ−ｄｉｓｐｌａｃｅｍｅｎｔ　ｔｒａｎｓｍｉｔｔｅｒ、Ｋｒａｆｔ−Ｗｅｇ−Ｇｅｂｅｒ）、電動モータの負荷の尺度としての電流及び電圧の相対的位相位置を検知するための電子計測手段、あるいは外部スイッチ装置であってよい。
【０００６】
本発明に従い、従来の最終点での自動スイッチオフ（ｌｉｍｉｔ　ｓｔｏｐ）をやめ、電気駆動装置の動力は日よけ布をピンと張るために利用され、あるいは最大繰り出し状態を超えた場合に限り、変位に応じて、スイッチが切られる。
【０００７】
特に、繰り出される際と同様に引き込まれる際にも、日よけ布の動きがねじりモーメント（転換モーメント）に依存して止められることが考えられ得る。
【０００８】
まず最初に考えられるのは、電動モータによる駆動である。しかしながら、特に窓用日よけの場合には、手動操作もまた想定され得る。その場合、作業員の感覚がこれまでのいわゆるトルクセンサの代わりとなる。日よけの張り具合を維持するために、手動操作装置、特にクランク（ハンドル）と布地ロール用シャフトとの間に自動ロック装置が備えられる必要がある。
【０００９】
日よけ布は、それ自体公知のように、ひも状体（パイピング）を用いて、布地ロール用シャフトのひも溝に固定される。
【００１０】
更に別の実施例においては、布地ロール用シャフトの手前領域に、各引っ張り紐のための偏向プーリが備えられ、引っ張り紐がガイドレールに沿って延在することが考えられている。
【００１１】
本発明に従うスイッチオフのやり方は、スイッチ装置が引っ張り紐上、また日よけ布上の引っ張り応力に従属して解除されること、そして特に、スイッチ装置が布地ロール用シャフト上に配設されたねじりモーメント伝達装置（トルク・トランスミッター）を備えて成ることにより有利に実現され得る。
【００１２】
本発明はまた、最大繰り出し状態に達した後、日よけ布が本来の繰り出し方向において、予め定められた所望の張り渡し状態に達するまで、再び巻き上げられることを特徴とする、サンルーム用日よけの日よけ布の繰り出しを制御するための方法に関するものである。
【００１３】
【発明の実施の形態】
以下に、本発明を好適な実施例を基に、図面を用いて詳細に説明する。
図１に図示されたサンルーム用日よけ１は、建物の壁（図示せず）に回転可能に支承され、日よけ布３を巻き上げ、また巻き解くための布地ロール用シャフト２を備えて成っている。該日よけ布の内側端部はひも状体（パイピング）４を用いて布地ロール用シャフト２のひも溝５において固定されており、その外側端部はひも状体６を介して落とし部（ｄｒｏｐ−ｏｕｔ　ｂａｒ）９のひも溝７において固定されている。落とし部９は、側方乃至横方向のガイドレール１０のスライドレール１２上を滑動する各スライド部材１１を介して、該ガイドレール１０の中をガイドされている。
【００１４】
落とし部９のひも溝７から離れ対向する側には、更に別のひも溝１４が備えられ、該ひも溝の外側に各々１つの、弾性を有した引っ張り紐１５が係合している。引っ張り紐１５は繰り出し方向終端部において、偏向プーリ１６により向きを変えられ、逆戻りさせられ、そして布地ロール用シャフト２の領域に配設された偏向プーリ１７により再び向きを変えられ、布地ロールの両側の巻き上げプーリ（ｗｉｎｄｉｎｇ　ｐｕｌｌｅｙ）上に巻き上げられ、あるいは巻き解かれる。
【００１５】
布地ロール用シャフト２は電動モータ１９により制御され、駆動可能である。この時、布地ロール用シャフト２上に配設されたねじりモーメント伝達装置（トルク・トランスミッター）２０は、布地ロール用シャフト２に作用するトルクを、日よけ布３に作用する引っ張り応力に従って計測する。
【００１６】
図３に図示される、日よけ布３及び落とし部９が引き込まれた状態から、日よけ布３を繰り出すために、電動モータ９により、布地ロール用シャフト２が繰り出し方向（矢印２１）へ駆動され、そして図４に図示される、落とし部９が最大に繰り出された状態へと至る。この状態において、日よけ布３は布地ロール用シャフト２から離れて、半径方向に延在している。換言すれば、布地ロール用シャフト２上には布地の残余は無く、日よけ布３は直接ひも溝５から外側半径方向へ延びている。その結果、布地ロール用シャフト２が本来の繰り出し方向（矢印２１）において、例えば９０°だけ、更に回転させられた場合、日よけ布３は再び、布地ロール用シャフト２上に相応する長さだけ布地ロール用シャフト２上に巻き上げられ、図５に図示されるように、落とし部９が逆方向にわずかな長さだけ引き込まれる。その結果、弾性を有した引っ張り紐１５も同様に巻き上げられ、また堅く張られるので、繰り出された状態においては所定の引っ張り応力が日よけ布に作用し、日よけ布はピンと張った状態に保たれる。
【００１７】
所望の所定引っ張り応力は、布地ロール用シャフト２に配設されたねじりモーメント伝達装置２０により検知され、そのねじりモーメントが前もって定められた予定値と比較され、続いて電動モータ１９のスイッチが切られる。
【図面の簡単な説明】
【図１】本発明に従うサンルーム用日よけの平面図である。
【図２】図４におけるＩＩ−ＩＩに沿った断面図である。
【図３】図１におけるＩＩＩ−ＩＩＩに沿った断面図である。
【図４】図１におけるＩＩＩ−ＩＩＩに沿った断面図である。
【図５】図１におけるＩＩＩ−ＩＩＩに沿った断面図である。
【符号の説明】
２　布地ロール用シャフト
３　日よけ布
９　落とし部
１０　ガイドレール
１５　引っ張り紐
１６，１７　偏向プーリ
１９　電動モータ
２０　ねじりモーメント伝達装置
【図１】
2004003323.tif 000003
【図２】
2004003323.tif 000004
【図３】
2004003323.tif 000005
【図４】
2004003323.tif 000006
【図５】
2004003323.tif 000007